(57)【要約】【課題】  メディア媒体を再生するには、プレーヤ装置とアンプ装置を個別に接続する作業が必要で、スクリーンの位置が、垂直方向に限定されていた。【解決手段】  映像音声再生部と映像投影部が収納されたプロジェクタ筐体部、を挟む２枚の支持板と前記プロジェクタ筐体部との間の２面の中央に、プロジェクタ筐体部を回動するヒンジ機構部と、２つの音声出力部と、前記プロジェクタ筐体部を挟む位置で前記音声出力部を収納した２つのスピーカー筐体部とを有する液晶プロジェクタ。【選択図】  図１
2006047555.tif 000002
【特許請求の範囲】
【請求項１】
外部の映像音声データが記録されたメディア媒体から映像音声データを読み取り、信号処理する、映像音声再生部と、前記映像音声再生部で読み取り、処理された映像信号を投影出力させる映像投影部と、前記映像音声再生部と、台座部と、この台座部に垂直方向に平行で立設され、前記映像音声再生部と前記映像投影部が収納されたプロジェクタ筐体部、を挟む２枚の支持板とを具備し、前記２枚の支持板と前記プロジェクタ筐体部との間の２面それぞれのほぼ中央に、前記プロジェクタ筐体部を任意の角度で支持し回動するヒンジ機構部と、前記映像音声再生部で読み取り、処理された音声信号を音声として出力させる２つの音声出力部と、前記プロジェクタ筐体部を挟む位置で具備した、前記音声出力部を収納した２つのスピーカー筐体部と、を有し、一台の装置で映像、音声データを再生できるようにしたことを特徴とする液晶プロジェクタ。
【請求項２】
前記プロジェクタ筐体部に挟まれて具備されている、前記２つのスピーカー筐体部で、前記プロジェクタ筐体部の反対側の２面に、その２面のそれぞれのほぼ中央の位置にヒンジ機構部具備し２面をつなげる状態で可搬及び安定用ハンドルが具備され、液晶プロジェクタ本体を移動させる時、また液晶プロジェクタ本体の設置時に前記ハンドルが、プロジェクタ本体安定させるために、回動できるようにしたことを特徴とする、請求項１記載の液晶プロジェクタ。
【請求項３】
外部の映像音声データが記録されたメディア媒体から映像音声データを読み取り、信号処理する、映像音声再生部と、前記映像音声再生部で読み取り、処理された映像信号を投影出力させる映像投影部と、台座部と、この台座部に垂直方向に立設された一本の支持部とを具備し、前記支持部の上部に、前記映像音声再生部と前記映像投影部が収納されたプロジェクタ筐体部の一面に、前記プロジェクタ筐体部を任意の角度で支持し回動するヒンジ機構部と、前記映像音声再生部で読み取り、処理された音声信号を音声として出力させる２つの音声出力部と、前記台座部の上面に前記音声出力部を収納した２つのスピーカー筐体部を水平回動する２つのヒンジ機構部と、を有し、一台の装置で映像、音声データを再生できるようにしたことを特徴とする液晶プロジェクタ。
【請求項４】
前記プロジェクタ筐体部は、そのヒンジ機構部と同面に可搬及び回動用ハンドルが具備され、液晶プロジェクタ本体を移動させる時、前記プロジェクタ筐体部の手掛かりとなり、回動できるようにしたことを特徴とする、請求項３記載の液晶プロジェクタ。
【発明の詳細な説明】
【技術分野】
【０００１】
本発明は、映像音声データが記憶されたメディア媒体を再生する液晶プロジェクタに関し、接続作業を必要とせず、再生のための準備作業や再生後の片付け作業が容易にでき、かつ可搬作業が容易にできるホームシアター用の液晶プロジェクタに関するものである。
【背景技術】
【０００２】
近年、映画は、電子技術、ソフトウエア技術の進展とともに、表現の高度化が進み、現実ではありえない迫力のある映像や音を実現させている。さらに、ビデオ、DVDなどの映像音声データが記録されたメディア媒体とされ、レンタルとして普及するにつれ、ホームエンターテイメントのコンテンツの主役となっている。そして、この映像音声データが記録されたメディア媒体は、家庭の居住空間に構築されたホームシアターシステムにより、楽しむようになってきた。従来オフィスで主に使用されていた、液晶プロジェクタは、家庭においても、映像音声データが記録されたメディア媒体を再生するホームシアターシステムを構成する装置の一つとして位置付けられている。このような液晶プロジェクタにおいては、映像音声データが記録されたメディア媒体のビデオやDVDを再生し、楽しむために、映像音声データ再生するプレーヤ装置と音声データを再生するアンプ装置、及びスピーカー装置と映像データを投影する液晶プロジュクタ装置の別々の装置を接続することによりホームシアターシステムとして構築し、提供されている。
【０００３】
このホームシアターシステムは、通常の家庭においては、専用のスペースを設けることができないため、映像音声データが記録されたメディア媒体を楽しみたいという欲求を持った都度、接続の準備作業を行っている。この接続の準備作業は、映像音声データが記録されたメディア媒体を楽しみたいという欲求がおこると、プロジュクタ装置を棚などの収納部から取り出し、次に電源コード、AVコードを取り出し、プレーヤ装置の入力部に接続し、通常壁側などのラックに収納されている、アンプ装置、及びスピーカー装置の接続を確かめる作業を行っている。
【０００４】
そして映像音声データが記録されたメディア媒体をプレーヤ装置にセットし、再生を開始する。それにより、映像データは液晶プロジェクタ装置から、部屋の壁面に設置されたスクリーンに投影され、音声データはアンプ装置、及びスピーカー装置により再生される。そして、再生後には、ホームシアターシステムを構成していた各装置の接続は前記の接続作業の逆作業である片付け作業を行っている。
【発明の開示】
【発明が解決しようとする課題】
【０００５】
しかしながら、上述したような従来の液晶プロジェクタにおいては、以下に記載するような問題点がある。
【０００６】
映像音声データが記録されたメディア媒体を再生するには、液晶プロジェクタのみではできないため、映像音声データ再生するプレーヤ装置と音声データを再生するアンプ装置を個別に準備し接続作業の手間をかけた上、投影可能なスクリーンの位置が、ほぼ垂直方向に限定されているという問題点があった。
【０００７】
また、映像音声データが記録されたメディア媒体を再生するためには、前記にあるように液晶プロジェクタ、一台ではなく、それぞれが別々の筐体の装置であるため、収納時や他の部屋への移動時においては、装置の数、及び接続コード類をそれぞれを可搬しなければならず、両手での作業も必要であり、たいへんに手間がかかるという問題点があった。
【０００８】
本発明は、上述したような、従来の技術が有する問題点に鑑みなされたものであって、  映像音声再生部と映像投影部と音声出力部とを一台の装置として有し、映像音声データが記録されたメディア媒体の再生を接続の手間をかけずに、また、投影可能なスクリーンの位置の拡大を図った液晶プロジェクタを提供することを目的とする。
【０００９】
また、映像音声再生部と映像投影部と音声出力部とを一台の装置として可搬が可能なハンドル部を有し、収納時や他の部屋への移動時においては、片手での作業で容易にできる液晶プロジェクタを提供することを目的とする。
【課題を解決するための手段】
【００１０】
上記問題点を解決するために、請求項１記載の液晶プロジュクタは、外部の映像音声データが記録されたメディア媒体から映像音声データを読み取り、信号処理する、「映像音声再生部」と、前記映像音声再生部で読み取り、処理された映像信号を投影出力させる「映像投影部」と、「前記映像音声再生部」と、台座部と、この台座部に垂直方向に平行で立設され、「前記映像音声再生部」と「前記映像投影部」が収納されたプロジェクタ筐体部、を挟む２枚の支持板とを具備し、前記２枚の支持板と前記プロジェクタ筐体部との間の２面それぞれのほぼ中央に、前記プロジェクタ筐体部を任意の角度で支持し回動するヒンジ機構部と、前記映像音声再生部で読み取り、処理された音声信号を音声として出力させる２つの「音声出力部」と、前記プロジェクタ筐体部を挟む位置で具備した、前記音声出力部を収納した２つのスピーカー筐体部と、を有し、一台の装置で映像、音声データを再生できるようにしたものである。
【００１１】
請求項２においては、前記プロジェクタ筐体部に挟まれて具備されている、前記２つのスピーカー筐体部で、前記プロジェクタ筐体部の反対側の２面に、その２面のそれぞれのほぼ中央の位置にヒンジ機構部具備し２面をつなげる状態で可搬及び安定用ハンドルが具備され、液晶プロジェクタ本体を移動させる時、また液晶プロジェクタ本体の設置時に前記ハンドルが、プロジェクタ本体安定させるために、回動できるようにしたものである。
【００１２】
請求項３においては、外部の映像音声データが記録されたメディア媒体から映像音声データを読み取り、信号処理する、「映像音声再生部」と、前記映像音声再生部で読み取り、処理された映像信号を投影出力させる「映像投影部」と、台座部と、この台座部に垂直方向に立設された一本の支持部とを具備し、前記支持部の上部に、「前記映像音声再生部」と「前記映像投影部」が収納されたプロジェクタ筐体部の一面に、前記プロジェクタ筐体部を任意の角度で支持し回動するヒンジ機構部と、前記映像音声再生部で読み取り、処理された音声信号を音声として出力させる２つの「音声出力部」と、前記台座部の上面に前記音声出力部を収納した２つのスピーカー筐体部を水平回動する２つのヒンジ機構部と、を有し、一台の装置で映像、音声データを再生できるようにしたものである。
【００１３】
請求項４においては、前記プロジェクタ筐体部は、そのヒンジ機構部と同面に可搬及び回動用ハンドルが具備され、液晶プロジェクタ本体を移動させる時、前記プロジェクタ筐体部の手掛かりとなり、回動できるようにしたものである。
【発明の効果】
【００１４】
以上、詳細に説明したように、本発明の液晶プロジェクタによれば、外部の映像音声データが記録されたメディア媒体から映像音声データを読み取り、信号処理する、「映像音声再生部」と、前記映像音声再生部で読み取り、処理された映像信号を投影出力させる「映像投影部」と、台座部を具備し、前記支持部に、「前記映像音声再生部」と「前記映像投影部」が収納されたプロジェクタ筐体部を任意の角度で支持し回動するヒンジ機構部と、前記映像音声再生部で読み取り、処理された音声信号を音声として出力させる２つの「音声出力部」と、前記台座部の上面に前記音声出力部を収納した２つのスピーカー筐体部と、を有し、一台の装置で映像、音声データを再生できるようにしたので、再生のための準備作業や、再生後の移動や収納作業、また、可搬作業が容易にでき、ホームシアターが手間をかけずに容易に、楽しめる液晶プロジェクタを提供することが可能になる。
【発明を実施するための最良の形態】
【００１５】
図２は、本発明の液晶プロジュクタの構成を簡単に示す構成概念図である。本発明の液晶プロジュクタ１は、映像音声データが記録されたメディア媒体２から、映像音声データを読み取る映像音声再生部３と、映像音声データから取り出された映像信号を拡大投影する映像投影部４と、映像音声データから取り出された２つのL音声信号とR音声信号を音声として出力させる音声出力部５と、映像音声データが記録されたメディア媒体２以外の映像音声データを直接入力する映像音声入力部６と、映像音声再生部３と映像投影部４の２つの部を覆うプロジュクタ筐体部８と、音声出力部５は、L音声信号用と、R音声信号用の２つを別々に覆うスピーカー筐体L部とスピーカー筐体R部と、そして、これら各部の一体の装置とするプロジェクタ本体７とからなる。
【００１６】
映像音声再生部３は、映像音声データ読み取り部３１と、映像信号処理回路３２と、音声信号処理回路３３と、音声アンプ回路３４とからなる。映像音声データ読み取り部３１は、映像音声データが記録されたメディア媒体２がセットせれることにより、映像信号を映像信号処理回路３２に送り、映像投影部４に送信する。そして、音声信号を音声信号処理回路３３を経由して音声アンプ回路３４に送られ、音声L信号と、音声R信号とし、音声出力部５に送信する。
【００１７】
なお、映像音声データが記録されたメディア媒体は、ビデオテープカセット、DVD、メモリーカード、ハードディスクなどの媒体に限定されるものではない。また、同様に、前記これらの媒体をセットし再生をする映像音声データ読み取り部３１も限定されるものではない。
【００１８】
映像投影部４は、液晶表示パネル４１と、投影レンズ４２と、投影光源４３とからなる。液晶表示パネルは、周知の透明電極を用いた透過型のパネルのデバイスであり、映像音声再生部３の映像信号処理回路３２から送信されてきた映像信号をパネル上に表示される。このパネルに表示された映像は、背面の透過光源４３で投光され、映像投影光となり、投光レンズ４２で拡大され、スクリーン１０などに映しだされる。
【００１９】
音声出力部５は、Lスピーカー５１と、Rスピーカー５２とからなる。この2つの周知スピーカーは、それぞれ単数または、ウーファー、ツゥイータなどに出力音域にあわせて複数構成になっている。また、Lスピーカー５１と、Rスピーカー５２とをそれぞれ覆う、スピーカー筐体L部とスピーカー筐体R部は、音響特性を引き出すための内部空間を持っている。映像音声再生部３の音声信号処理回路３３で処理されステレオ音声の音声L信号と音声R信号に分割され音声アンプ回路３４により拡声され、Lスピーカー５１と、Rスピーカー５２により、空間に音声として出力する。
【００２０】
映像音声入力部６は、DVDデッキ、ビデオデッキ、パソコン、テレビ等から出力される映像音声データを入力するものである。入力された映像音声データは、映像音声再生部３の映像信号処理回路３２と、音声信号処理回路３３に送信され、前記同様に再生される。
【００２１】
図３は、本発明の液晶プロジェクタの第１の実施形態の外観斜視図である。これは、収納棚などから取り出し、可搬できる状態を示している。図１と図４図５は図３で示した本発明の液晶プロジェクタの使用状態を示す斜視図である。なお、図４は、前記図１の背面から見た斜視図である。液晶プロジェクタ１のプロジェクタ本体９は、台座部１２から垂直方向立設された２枚に支持部１２１に、挟まれるように、プロジェクタ筐体部８が設けられ、台座部１２から垂直方向立設された２枚に支持部１２１の両側にスピーカー筐体L部６とスピーカー筐体R部７が設けられている。支持部１２１に、挟まれるように、設けられたプロジェクタ筐体部８は、支持部２１と、プロジェクタ筐体部８とにある軸部１３で軸着され、映像信号の投影時には、液晶プロジェクタ１から離れて設けられたスクリーン１０に向けて、この軸部１３を中心に、投影レンズ部４２と、スクリーン１０が対峙するように回動さる。軸部１３は中心部分が貫通しており、スピーカーコード１３１や電源コード１３２をプロジェクタ筐体部８の回動に影響されること無く設けられている。電源コード１３２はスピーカー筐体R部にある、電源コネクタ１６１に接続された電源入力部１６とつながっており、本発明の液晶プロジェクタ１を駆動させるための電源を供給している。
【００２２】
以上のような構成の第１の実施形態について説明する。このような液晶プロジェクタ１を使用する際には、液晶プロジェクタ１をスクリーン１０の前に、スクリーン１０と適当な距離をおいて液晶プロジェクタ１を設置する。例えば、Lスピーカー５１、Rスピーカー５２とは反対面のスピーカー筐体L部、スピーカー筐体R部の背面部にスクリー１０がある場合は、まず、ハンドル部１４１に手をかけ、ハンドル軸部１４を中心にハンドル部１４１の上部が液晶プロジェクタ１が設置された面上まで回動して動かす。次に、プロジェクタ筐体部８の端に手をかけ、投影レンズ４２が、スクリーン１０に投影に相応しい対峙位置まで、回動させる。次に電源コネクタ１６１を電源入力に接続し、電源スイッチ１５をオンにする。次に、映像音声データ読み取り部開閉スイッチ３１１を押すと、映像音声データ読み取り部３１が開く（図示なし）。開いた映像音声データ読み取り部３１に映像音声データが記録されたメディア媒体2をセットし、閉じる。次に、操作部１７にあるスタートキー１７１をオンすることにより、映像音声データが記録されたメディア媒体２の信号は、映像音声再生部３により処理され、映像信号は、映像投影部４により、スクリーン１０に拡大投影され、音声信号は音声出力部5により、音声として出力される
なお、プロジェクタ筐体部８は、図１で示した投影レンズ４２が垂直の天井に対峙する方向から、図１と図５のように前後に回動させることができ、投影レンズ４２が台座部１２に隠れない角度位置まで回動させることができる。投影レンズ４２が垂直天井方向から図５にようにスピーカー面と同じ方向をむいた場合は、液晶表示パネル４１に写し出される映像が、周知の技術により、上下を反転する。また、軸部１３はプロジュクタ筐体部８が自重で回動しない摩擦力をもっており、回動範囲内においては、任意の角度にプロジェクタ筐体部８を支持できる。これにより、投影レンズ４２に対峙の位置にあるスクリーン１０の設置位置は、スクリーン１０が天井設置された状態から、投射レンズ４２が台座部１２に隠れない前後の下方向の角度の対峙位置までとなる。また、前記したハンドル部１４１は、軸着しているハンドル軸部１４により、ハンドル部１４１の上部が液晶プロジェクタ１が設置され、Lスピーカー５１、Rスピーカー５２側の台座部の底面上まで回動し、かつLスピーカー５１、Rスピーカー５２の反対側の台座部の底面上まで前後に回動できる。さらに、ハンドル軸部１４はハンドル部１４１が自重で回動しない摩擦力をもっており、ハンドル部１４１の上部が設置面と接した状態で支持できる。
【００２３】
このように、上述したように本形態においては、映像音声データが記録されたメディア媒体２を再生する際には、台座部１２と、支持部１２１に、映像音声再生部３と、映像投影部４とを搭載するプロジェクタ筐体部８が軸部１３により回動できるように軸着され、音声入力部５を搭載する、スピーカー筐体L部６と、スピーカー筐体R部７とを載置されることにより、少ない準備の手間で映像音声データが記録されたメディア媒体２を再生できる。このため、映像音声データが記録されたメディア媒体２を楽しみたいと欲求を持ってから、少ない時間で、簡単に、壁面にあるスクリーンや天井位置にあるスクリーンに対して、投影でき、かつ音声を楽しむことができる。
【００２４】
そして、映像音声データが記録されたメディア媒体２を再生し、楽しんだ後には、図３のように、プロジュクタ筐体部８を、投影レンズが垂直の真上方向に回動させることにより、極めてコンパクトとなる。それにより、容易に携帯可能となり他の部屋への移動や棚などへの収納が簡単とになる。
【００２５】
また、本形態においては、スピーカー筐体L部と、スピーカー筐体R部により成す、プロジェクタ本体９の左右の外側面にハンドル軸部１４により、軸着されたハンドル部１４１を回動し、液晶プロジェクタ１の設置面までハンドル上部が接する状態にすることにより、台座部の１２の底面積による案手設置に加えハンドル上部が接した部分までの面積が付加されることにより、プロジェクタ筐体部８回動させた時の不安定化を防止させることができる。
【００２６】
一方、パソコンやテレビまたは、VDVプレーヤ等からの映像音声データを入力して、拡大投影、音声再生する際には、例えば、パソコンの映像音声回路から引き出された映像音声入力コネクタ１８１を映像音声入力部１８に接続する。そして、電源スイッチ１５をオンにすると、入力された映像音声データは、映像データは映像信号処理回路３２と映像投影部４により投影され、スクリーン１０に拡大投影され、音声データは、音声信号処理回路３３と、音声アンプ回路３４と、音声入力部５のLスピーカー５１、Rスピーカー５２により、拡大音声として再生される。
【００２７】
図６は、本発明の液晶プロジェクタの第２の実施形態の外観斜視図である。これは、収納棚などから取り出し、可搬できる状態を示している。図７、図８は図６で示した本発明の液晶プロジェクタの使用状態を示す斜視図である。液晶プロジェクタ２１のプロジェクタ本体２９は、台座部２１２から垂直方向に立設された一本の支持部２１２１の上部に、プロジェクタ筐体部２８が設けられている。また、台座部２１２に設けられた支持部２１２１の両側に、スピーカー台座L部２６１に設けられたスピーカー筐体L部２６と、スピーカー台座R部２７１に設けられたスピーカー筐体R部２７が軸着されており、図６から図７のような状態に回動する。台座部２１２から垂直方向に立設された一本の支持部２１２１の上部に、プロジェクタ筐体部２８は、支持部２１２１と、プロジェクタ筐体部２８とにある軸部２１３で軸着され、映像信号の投影時には、液晶プロジェクタ２１から離れて設けられたスクリーン（図示せず）に向けて、この軸部２１３を中心に、投影レンズ部２４２と、スクリーン（図示せず）が対峙するように回動さる。軸部２１３は中心部分が貫通しており、スピーカーコード２１３１をプロジェクタ筐体部２８の回動に影響されること無く設けられている。プロジェクタ筐体部２８にある、電源入力部２１６に電源コネクタ２１６１を接続させることにより、本発明の液晶プロジェクタ２１を駆動させるための電源を供給している。
【００２８】
以上のような構成の第２の実施形態について説明する。このような液晶プロジェクタ２１を使用する際には、液晶プロジェクタ２１をスクリーン（図示せず）の前に、スクリーンと適当な距離をおいて液晶プロジェクタ２１を設置する。次に、台座部２１２に設けられた支持部２１２１の両側に、スピーカー台座L部２６１に設けられたスピーカー筐体L部２６と、スピーカー台座R部２７１に設けられたスピーカー筐体R部２７のそれぞれの胴の部分に手をかけ、プロジェクタ筐体部２８と直線上に並ぶように回動させる。次に、プロジェクタ筐体部２８の正面部に設けられたハンドル部２１４１に手をかけ、投影レンズ２４２が、スクリーンに投影に相応しい対峙位置まで、回動させる。次に電源コネクタ２１６１を電源入力に接続し、電源スイッチ２１５をオンにする。次に、映像音声データ読み取り部開閉スイッチ２３１１を押すと、映像音声データ読み取り部２３１が開く（図示なし）。開いた映像音声データ読み取り部２３１に映像音声データが記録されたメディア媒体2をセットし、閉じる。次に、操作部２１７にあるスタートキー２１７１をオンすることにより、映像音声データが記録されたメディア媒体（図示せず）の信号は、映像音声再生部（図示せず）により処理され、映像信号は、映像投影部（図示せず）により、スクリーンに拡大投影され、音声信号は音声出力部（図示せず）により、音声として出力される
なお、プロジェクタ筐体部２８は、図７で示した投影レンズ２４２が垂直の天井に対峙する方向から、図８のように回動させることができ、プロジェクタ筐体部２８に設けられたハンドル部２１４１投影が台座部２１２が接する設置面に触れる角度位置まで回動させることができる。また、軸部２１３はプロジュクタ筐体部２８が自重で回動しない摩擦力をもっており、回動範囲内においては、任意の角度にプロジェクタ筐体部２８を支持できる。これにより、投影レンズ２４２に対峙の位置にあるスクリーン（図示せず）の設置位置は、スクリーンが天井設置された状態から、ハンドル部２１４１投影が台座部２１２が接する設置面に触れる角度位置までの下方向の角度の対峙位置までとなる。また、ハンドル部２１４１は、前記したように、投影レンズ２４２をスクリーンの対峙の位置にまで回動させることができかつ、図６で示した収納棚などから取り出し、可搬できる状態の時に上部分に手をかけることにより、液晶プロジェクタ２４を持つことができる。
【００２９】
このように、上述したように本形態においては、映像音声データが記録されたメディア媒体２（図示せず）を再生する際には、台座部２１２と、支持部２１２１に、映像音声再生部（図示せず）と、映像投影部（図示せず）とを搭載するプロジェクタ筐体部２８が軸部２１３により回動できるように軸着され、音声入力部（図示せず）を搭載する、スピーカー筐体L部２６と、スピーカー筐体R部２７とを載置されることにより、少ない準備の手間で映像音声データが記録されたメディア媒体を再生できる。このため、映像音声データが記録されたメディア媒体を楽しみたいと欲求を持ってから、少ない時間で、簡単に、壁面にあるスクリーンや天井位置にあるスクリーンに対して、投影でき、かつ音声を楽しむことができる。
【００３０】
そして、映像音声データが記録されたメディア媒体を再生し、楽しんだ後には、図６のように、プロジュクタ筐体部２８を、投影レンズが垂直の真上方向に回動させることにより、極めてコンパクトとなる。さらに、ハンドル部２１４１を持つことにより、容易に携帯可能となり他の部屋への移動や棚などへの収納が簡単とになる。
【００３１】
一方、パソコンやテレビまたは、VDVプレーヤ等からの映像音声データを入力して、拡大投影、音声再生する際には、例えば、パソコンの映像音声回路から引き出された映像音声入力コネクタ２１８１を映像音声入力部２１８に接続する。そして、電源スイッチ２１５をオンにすると、入力された映像音声データは、映像データは映像信号処理回路３２と映像投影部により投影され、スクリーンに拡大投影され、音声データは、音声信号処理回路と、音声アンプ回路と、音声入力部のLスピーカー２５１、Rスピーカー２５２により、拡大音声として再生される。
【００３２】
なお、本発明の液晶プロジュクタは、カラー型、モノクロ型の何でもよく、また音声再生は、ステレオタイプ、モノラルタイプ、擬似５.１チャンネルタイプの何でもよい。また、スピーカーは周知のどのようなタイプの何でよい。また、上述した、各実施形態においては、映像投影部を透過型の液晶表示パネル型としているが反射型の液晶タイプにも同様に実施可能である。
【図面の簡単な説明】
【００３３】
【図１】図３で示した本発明の液晶プロジェクタの使用状態を示す斜視図
【図２】本発明の液晶プロジュクタの構成を簡単に示す構成概念図
【図３】本発明の液晶プロジェクタの第１の実施形態の外観斜視図
【図４】図３で示した本発明の液晶プロジェクタの使用状態を示す斜視図
【図５】図３で示した本発明の液晶プロジェクタの使用状態を示す斜視図
【図６】本発明の液晶プロジェクタの第２の実施形態の外観斜視図
【図７】図６で示した本発明の液晶プロジェクタの使用状態を示す斜視図
【図８】図６で示した本発明の液晶プロジェクタの使用状態を示す斜視図
【符号の説明】
【００３４】
１  （液晶プロジェクタ）
２  （映像音声データが記録されたメディア媒体）
３  （映像音声再生部）
３１  （映像音声データ読み取り部）
３１１  （映像音声データ読み取り部開閉スイッチ）
３２  （映像信号処理回路）
３３  （音声信号処理回路）
３４  （音声アンプ回路）
４  （映像投影部）
４１  （液晶表示パネル）
４２  （投影レンズ）
４３  （投影光源）
５  （音声出力部）
５１  （Lスピーカー）
５２  （Rスピーカー）
６  （スピーカー筐体L部）
７  （スピーカー筐体R部）
８  （プロジェクタ筐体部）
９  （プロジェクタ本体）
１０  （スクリーン）
１１  （外部機器）
１２  （台座部）
１２１  （支持部）
１３  （ヒンジ機構部）
１３１  （スピーカーコード）
１３２  （電源コード）
１４  （ハンドル軸部）
１４１  （ハンドル部）
１５  （電源スイッチ）
１６  （電源入力部）
１６１  （電源コネクタ）
１７  （操作部）
１７１  （スタートキー）
１８  （映像音声入力部）
１８１  （映像音声入力コネクタ）
２１  （液晶プロジェクタ）
２３１  （映像音声データ読み取り部）
２３１１  （映像音声データ読み取り部開閉スイッチ）
２４２  （投影レンズ）
２５１  （Lスピーカー）
２５２  （Rスピーカー）
２６  （スピーカー筐体L部）
２６１  （スピーカー台座Ｌ部）
２７  （スピーカー筐体R部）
２７１  （スピーカー台座Ｒ部）
２８  （プロジェクタ筐体部）
２９  （プロジェクタ本体）
２１２  （台座部）
２１２１  （支持部）
２１３  （ヒンジ機構部）
２１３１  （スピーカーコード）
２１４１  （ハンドル部）
２１５  （電源スイッチ）
２１６  （電源入力部）
２１６１  （電源コネクタ）
２１７  （操作部）
２１７１  （スタートキー）
２１８  （映像音声入力部）
２１８１  （映像音声入力コネクタ）
【図１】
2006047555.tif 000003
【図２】
2006047555.tif 000004
【図３】
2006047555.tif 000005
【図４】
2006047555.tif 000006
【図５】
2006047555.tif 000007
【図６】
2006047555.tif 000008
【図７】
2006047555.tif 000009
【図８】
2006047555.tif 000010